(57)【要約】【課題】  燃料タンク内の燃料を有効に活用する燃料供給装置を提供する。【解決手段】  燃料供給装置１は、燃料タンク内の燃料を吸入し、インジェクタに向かって圧送する円柱形状の燃料ポンプ２と、燃料ポンプ２を内包する有底筒形状のカップ部材７０とを備え、カップ部材７０の内周面と燃料ポンプ２の外周面との間に配された燃料案内部１０１と、カップ部材７０の底部７０ｃに形成された燃料排出部１００とを有し、燃料案内部１０１は、燃料排出部１００を介して、燃料タンク内と連通する。したがって、カップ部材７０の内周面が、燃料ポンプ２の外周面から、局所的に離間するため、燃料ポンプ２の外周面と、カップ部材７０の内周面との間には、燃料は蓄積されず、燃料タンク内の燃料は、有効に活用される。【選択図】図１
2011153584.tif 000002
【特許請求の範囲】
【請求項１】
円筒形状の燃料ポンプと、前記燃料ポンプを内包する有底筒形状のカップ部材とを備えた燃料供給装置において、
前記燃料供給装置は、前記燃料ポンプの外周面と前記カップ部材の内周面との間に形成された燃料案内部と、前記カップ部の底面に形成された燃料排出部とを有し、前記燃料案内部は、前記燃料排出部を介して、燃料タンク内と連通することを特徴とする燃料供給装置。
【請求項２】
請求項１に記載された燃料供給装置において、
前記燃料案内部は、前記燃料ポンプの外周面に形成された溝部と、前記カップ部材の内周面との間に形成されていることを特徴とする燃料供給装置。
【請求項３】
請求項１に記載された燃料供給装置において、
前記燃料案内部は、前記カップ部材の内周面に形成された溝部と、燃料ポンプの外周面との間に形成されていることを特徴とする燃料供給装置。
【請求項４】
請求項１から請求項３のいずれか１項に記載された燃料供給装置において、
前記燃料案内部は、前記カップ部材の内周面に形成された押圧部と、前記燃料ポンプの外周面との間に形成されていることを特徴とする燃料供給装置。
【請求項５】
請求項１から請求項３のいずれか１項に記載された燃料供給装置において、
前記燃料案内部は、前記燃料ポンプの外周面に形成された押圧部と、前記カップ部材の内周面との間に形成されていることを特徴とする燃料供給装置。
【請求項６】
請求項１から請求項５のいずれか１項に記載された燃料供給装置において、
前記燃料排出部は、前記底部の略中央に形成された連結部と、前記底部の縁部に前記溝部に連続して形成された排出孔であることを特徴とする燃料供給装置。
【請求項７】
請求項１から請求項６のいずれか１項に記載された燃料供給装置において、
前記燃料案内部は、前記カップ部材の内周面に一体的に突出形成され、前記燃料ポンプの外周面に押接する複数の押圧部間に形成されていることを特徴とする燃料供給装置。
【請求項８】
請求項１から請求項６のいずれか１項に記載された燃料供給装置において、
前記燃料案内部は、前記燃料ポンプの外周面に一体的に突出形成され、前記カップ部材の内周面に押接する複数の押圧部間に形成されていることを特徴とする燃料供給装置。
【発明の詳細な説明】
【技術分野】
【０００１】
本発明は、自動二輪車等に用いられる燃料供給装置に関するものである。
【背景技術】
【０００２】
一般に、自動二輪車や四輪車は、燃料供給装置を有しており、燃料供給装置は、燃料ポンプと、燃料ポンプを保持するとともに燃料タンクに固定され、燃料ポンプを燃料タンク内に配するフランジユニットとを有している。燃料ポンプは、燃料タンク内の燃料を吸入し、インジェクタの配管に向かって燃料を圧送する。そして、フランジユニットは、燃料タンクに固定されるフランジ部材と、フランジ部材に固定されるカップ部材とを有し、カップ部材内には、燃料ポンプが配される（例えば、特許文献１参照）。
【特許文献１】特開２００９−１２７６０７号公報
【発明の概要】
【発明が解決しようとする課題】
【０００３】
しかしながら、上述した燃料供給装置において、燃料ポンプは、略円柱形状に形成されており、カップ部材は、有底円筒形状に形成されている。そして、燃料ポンプは、カップ部材の内周面に燃料ポンプの外周面が一部当接された状態にて、カップ部材内に燃料ポンプが配される。このように燃料ポンプとカップ部材が一部当接する状態において、燃料ポンプとカップ部材との間には、隙間が形成される。そして、燃料供給装置が燃料タンク内に配置されると、燃料タンク内の燃料は、燃料ポンプとカップ部材との間に形成される隙間に侵入する。隙間に侵入した燃料は、燃料の粘性抵抗等により、この隙間内に蓄積され、カップ部材から排出されない。そのため、従来の燃料供給装置は、燃料タンク内の燃料を、すべて有効に活用することができなかった。
【０００４】
本発明の目的は、燃料タンク内の燃料を有効に活用することができる燃料供給装置を提供することにある。
【課題を解決するための手段】
【０００５】
請求項１に記載された発明は、円筒形状の燃料ポンプと、燃料ポンプを内包する有底筒形状のカップ部材とを備えた燃料供給装置において、燃料供給装置は、燃料ポンプの外周面とカップ部材の内周面との間に形成された燃料案内部と、カップ部の底面に形成された燃料排出部とを有し、燃料案内部は、燃料排出部を介して、燃料タンク内と連通することを特徴とする燃料供給装置である。
【０００６】
請求項２に記載された発明は、請求項１に記載された燃料供給装置において、燃料案内部は、燃料ポンプの外周面に形成された溝部と、カップ部材の内周面との間に形成されていることを特徴とする燃料供給装置である。
【０００７】
請求項３に記載された発明は、請求項１に記載された燃料供給装置において、燃料案内部は、カップ部材の内周面に形成された溝部と、燃料ポンプの外周面との間に形成されていることを特徴とする燃料供給装置である。
【０００８】
請求項４に記載された発明は、請求項１から請求項３のいずれか１項に記載された燃料供給装置において、燃料案内部は、カップ部材の内周面に形成された押圧部と、燃料ポンプの外周面との間に形成されていることを特徴とする燃料供給装置である。
【０００９】
請求項５に記載された発明は、請求項１から請求項３のいずれか１項に記載された燃料
供給装置において、燃料案内部は、燃料ポンプの外周面に形成された押圧部と、カップ部材の内周面との間に形成されていることを特徴とする燃料供給装置である。
【００１０】
請求項６に記載された発明は、請求項１から請求項５のいずれか１項に記載された燃料供給装置において、燃料排出部は、底部の略中央に形成された連結部と、底部の縁部に溝部に連続して形成された排出孔であることを特徴とする燃料供給装置である。
【００１１】
請求項７に記載された発明は、請求項１から請求項６のいずれか１項に記載された燃料供給装置において、燃料案内部は、カップ部材の内周面に一体的に突出形成され、燃料ポンプの外周面に押接する複数の押圧部間に形成されていることを特徴とする燃料供給装置である。
【００１２】
請求項８に記載された発明は、請求項１から請求項６のいずれか１項に記載された燃料供給装置において、燃料案内部は、燃料ポンプの外周面に一体的に突出形成され、カップ部材の内周面に押接する複数の押圧部間に形成されていることを特徴とする燃料供給装置である。
【発明の効果】
【００１３】
本発明によると、燃料ポンプの外周面と、カップ部の内周面との間に浸入した燃料は、燃料案内部、燃料排出部を介して、燃料供給装置外へ排出される。したがって、燃料ポンプの外周面と、カップ部の内周面との間には、燃料は蓄積されず、燃料タンク内の燃料は、有効に活用される。
【図面の簡単な説明】
【００１４】
【図１】図６に示す本発明の第１の実施形態における燃料供給装置１のＡ−Ａ断面図である。
【図２】図６に示す本発明の第１の実施形態における燃料供給装置１のＢ−Ｂ断面図である
【図３】本発明の第１の実施形態におけるカップ部材７０の正面斜視図である。
【図４】本発明の第１の実施形態におけるカップ部材７０の背面斜視図である。
【図５】本発明の第１の実施形態における燃料供給装置１の斜視図である。
【図６】本発明の第１の実施形態における燃料供給装置１の側面図である。
【図７】本発明の第２の実施形態におけるカップ部材１７０の正面斜視図である。
【図８】本発明の第２の実施形態における燃料供給装置１のＢ−Ｂの斜視図である
【発明を実施するための形態】
【００１５】
図面に基づいて、本発明の第１の実施形態について説明する。図１は、図６に示す本発明の同実施形態における燃料供給装置１のＡ−Ａ断面図であり、図２は、図６に示す燃料供給装置１のＢ−Ｂ断面図である。図３は、同実施形態におけるカップ部材７０の正面斜視図であり、図４は、カップ部材７０の背面斜視図である。図５は、同実施形態の燃料供給装置１の斜視図であり、図６は、燃料供給装置１の側面図である。
【００１６】
図１から図４に示されるように、燃料供給装置１は、円筒形状の燃料ポンプ２と、燃料ポンプ２を内包するフランジユニット３とを有している。なお、フランジユニット３は、有底筒形状のホルダ部材６０と、ホルダ部材６０に固定される有底筒形状のカップ部材７０とを有している。
【００１７】
図３に示すように、カップ部材７０の内周面には、４個の溝部７１が長手方向に伸びて形成されている。そのため、燃料ポンプ２がカップ部材７０内に挿入されると、カップ部材７０の内周面と燃料ポンプ２の外周面との間には、燃料案内部１０１が溝部７１によっ
て形成される。したがって、燃料供給装置１を燃料タンク内に配すると、カップ部材７０の開口から、カップ部材７０の内周面と燃料ポンプ２の外周面との間に流入する燃料タンク内の燃料は、燃料案内部１０１によって、カップ部材７０の底部７０ｃまで案内される。
【００１８】
図４に示すように、カップ部材７０は、燃料排出部１００を有しており、燃料排出部１００は、カップ部材７０の底部７０ｃに形成された連結部７０ｄと、脱気部７０ｅとを有し、連結部７０ｄは底部７０ｃの略中央に大きな開口を形成する。連結部７０ｄ、脱気部７０ｅは、カップ部材７０の底部７０ｃに貫通形成されている。そのため、図１に示すように、フィルタユニット８０は、連結部７０ｄを介して、燃料ポンプ２に固定され、燃料ポンプ２内に発生した気泡は、脱気部７０ｅを介して、燃料ポンプ２外へ排出される。  
【００１９】
そして、燃料案内部１０１によって案内された燃料は、連結部７２ｄ、脱気部７０ｅを介して、燃料ポンプ２外へ排出される。そのため、カップ部材７０の外周面と、燃料ポンプ２の内周面との間に、燃料が蓄積されることはない。すなわち、燃料供給装置１は、燃料タンク内の燃料を有効に活用する。
【００２０】
さらに、図３および図４に示すように、本実施の形態において、カップ部材７０の底部７０ｃには溝部７１に連続して、排出孔７２が貫通形成されており、排出孔７２は、底部７０ｃの縁部７０ｆである外周寄りに配されている。したがって、排出孔７２は、燃料案内部１０１を形成する溝部７１と連通し、燃料案内部１０１は、排出孔７２を介して、燃料タンク内と連通する。そのため、カップ部材７０の外周面と、燃料ポンプ２の内周面との間に浸入した燃料は、燃料案内部１０１によって案内され、連結部７０ｄ、脱気部７０ｅから燃料ポンプ２外へ排出されると共に、排出孔７２から、排出される。したがって、カップ部材７０の外周面と、燃料ポンプ２の内周面との間に浸入した燃料は、容易に、燃料ポンプ２外へ排出される。さらに、排出孔７２は、底部７０ｃの縁部７０ｆに形成されている。そのため、燃料供給装置１が傾斜した場合であっても、燃料ポンプ２の内周面との間に浸入した燃料は、燃料ポンプ２外へ排出される。燃料供給装置１は、燃料タンク内の燃料を有効に活用することができる
【００２１】
また、燃料供給装置１は、市場に出荷される前に、試験油が貯留された水槽内にて、燃料ポンプ２の動作が、確認される。この際、水槽内の試験油は、燃料ポンプ２と、カップ部材７０との間に浸入する。しかしながら、燃料供給装置１は、燃料案内部１０１、燃料排出部１００を有している。そのため、燃料は、燃料案内部１０１、燃料排出部１００を介して、水槽内に排出される。すなわち、燃料ポンプ２と、カップ部材７０との間に試験油が蓄積されず、試験油は水槽内に戻される。そのため、水槽内に戻された試験油を再利用して、燃料ポンプ２の動作を確認することができ、燃料ポンプ２の動作は、試験油を新たに購入することなく安価に確認される。
【００２２】
図５、図６に示されるように、燃料供給装置１は、燃料タンクに固定されるフランジユニット３と、フランジユニット３によって内包される燃料ポンプ２と、燃料ポンプ２内と連通するフィルタユニット８０とを有している。なお、フランジユニット３は、有底筒形状のフランジ部材５０と、有底筒形状のカップ部材７０とを有しており、カップ部材７０は、フランジ部材５０に固定される。
【００２３】
フランジ部材５０は、排出管５１と、外部電源が接続されるコネクタ部５２と、筒形状のホルダ部６０とを有しており、排出管５１は、インジェクタ（不図示）の配管内と連通する。したがって、燃料ポンプ２が作動すると、燃料タンク内の燃料は、フィルタユニット８０によって濾過され、燃料ポンプ２内に吸入される。そして、燃料ポンプ２内に吸入
された燃料は、排出管５１を介して、インジェクタに向かって圧送される。
【００２４】
また、カップ部材７０は、フランジ部５０に固定され、燃料ポンプ２を内包する。そして、カップ部材７０の外周面には、腕部７５が径方向外側に向かって延出形成されており、腕部７５には、不図示のフューエルユニットが取り付けられる。なお、フューエルユニットは、燃料タンク内の燃料の残量を検出する液面計である。
【００２５】
図１に示されるように、燃料ポンプ２は、不図示の回転子と、筒形状のヨーク２１と、カバーユニット３０と、不図示のポンプ部とを有している。燃料ポンプ２には、フィルタユニット８０が取り付けられており、燃料ポンプ２は、フィルタユニット８０を介して、燃料タンク内と連通する。
【００２６】
また、前述した実施形態において、燃料案内部１０１は、カップ部材７０の内周面に形成された溝部７１を有する場合について示した。しかしながら、本発明の実施形態は、これに限られることはなく、燃料案内部１０１が、燃料ポンプ２の外周面に形成された溝部７１を有する場合であっても、同様の効果を奏する。すなわち、カップ部材７０の内周面が、燃料ポンプ２の外周面から、局所的に離間していれば良い。
【００２７】
したがって、図７、図８に示されるように、カップ部材１７０の内周面には、リブ（押圧部）１０３が形成されている。そのため、カップ部材１７０に燃料ポンプ２を挿入すると、カップ部材１７０の内周面は、燃料ポンプ２の外周面から離間し、燃料案内部１０１が形成される。燃料ポンプ２の外周面にリブ１０３を形成した場合であっても、同様の効果を奏する。すなわち、カップ部材１７０の外周面と、燃料ポンプ２の内周面との間に浸入した燃料は、燃料案内部１０１によって案内され、連結部７０ｄ、脱気部７０ｅから燃料ポンプ２外へ排出されると共に、排出孔７２から、排出される。したがって、カップ部材１７０の外周面と、燃料ポンプ２の内周面との間に浸入した燃料は、容易に、燃料ポンプ２外へ排出される。
【００２８】
また、カップ部材１７０の内周面又は、燃料ポンプ２の外周面のうち、少なくともいずれか一方に、突状部（押圧部）が形成された場合であっても、同様の効果を奏する。すなわち、カップ部材１７０の外周面と、燃料ポンプ２の内周面との間に浸入した燃料は、容易に、燃料ポンプ２外へ排出される。
【００２９】
また、上述の実施形態では、燃料案内部１０１と、燃料排出部１００とが、一部品としてのカップ部材７０、１７０に形成されている場合について示した。しかしながら、本発明はこれに限られることはない。すなわち、カップ部材７０、１７０の底部７０ｃが、カップ部７０、１７０の内周面と異なる部材で形成された場合であっても、同様の効果を奏する。
【符号の説明】
【００３０】
１  燃料供給装置
２  燃料ポンプ
３  フランジユニット
２１  ヨーク
３０  カバーユニット
３１ｈ  貫通孔
３４  ジョイント部材
３５  端子
３６  端子カバー
３７  リード線
５０  フランジ部
５１  排出管
５２  コネクタ部
５４  給電部
６０  ホルダ部
７０  カップ部
７０ｃ  底部
７０ｄ  連結部
７０ｅ  脱気部
７０ｆ  縁部
７１  溝部
７２  排出孔
７４  リード線保持部
７５  腕部
８０  フィルタユニット
１００  燃料排出部
１０１  燃料案内部
１０３  リブ（押圧部）
【図１】
2011153584.tif 000003
【図２】
2011153584.tif 000004
【図３】
2011153584.tif 000005
【図４】
2011153584.tif 000006
【図５】
2011153584.tif 000007
【図６】
2011153584.tif 000008
【図７】
2011153584.tif 000009
【図８】
2011153584.tif 000010